(57)【特許請求の範囲】
【請求項１】
第一電気部品を収容した第一の筐体と、
第二電気部品を収容した第二の筐体と、
前記第一の筐体と前記第二の筐体とにそれぞれ固定され、回転軸部を有し、該回転軸部を中心に前記第一の筐体と前記第二の筐体とを回動可能に接続したヒンジ部と、
前記第一電気部品と前記第二電気部品とを電気的に接続するとともに、前記第一の筐体内で前記回転軸部に沿った配線と、
前記回転軸部と前記配線とを束ねた保持部と、
を備え、
前記保持部は、テープである、電子機器。
【請求項２】
第一電気部品を収容した第一の筐体と、
第二電気部品を収容した第二の筐体と、
前記第一の筐体と前記第二の筐体とにそれぞれ固定され、回転軸部を有し、該回転軸部を中心に前記第一の筐体と前記第二の筐体とを回動可能に接続したヒンジ部と、
前記第一電気部品と前記第二電気部品とを電気的に接続するとともに、前記第一の筐体内で前記回転軸部に沿った配線と、
前記回転軸部と前記配線とを束ねた保持部と、
を備え、
前記保持部が、前記ヒンジ部から離れた位置で前記配線を固定した、電子機器。
【請求項３】
前記保持部が、前記配線の、前記ヒンジ部の長手方向に沿った部分を固定した、請求項１または２に記載の電子機器。
【請求項４】
前記保持部が、前記ヒンジ部の外周に沿って配置された複数の前記配線を固定した、請求項１〜３のうちいずれか一つに記載の電子機器。
【請求項５】
前記保持部が、第一位置と該第一位置より前記ヒンジ部から離れた第二位置とで前記配線を固定した、請求項１〜４のうちいずれか一つに記載の電子機器。
【請求項６】
前記第一位置および前記第二位置で前記保持部に固定された前記配線が、前記第一位置と前記第二位置との間で屈曲された、請求項５に記載の電子機器。
【請求項７】
前記保持部が、前記筐体に固定された、請求項１〜６のうちいずれか一つに記載の電子機器。
【請求項８】
前記保持部はテープであり、
前記テープの、前記筐体に面した第一面の長手方向の中間部に位置した第一領域と、前記第一面の反対側の第二面の第二領域とに、接着剤が付けられた、請求項７に記載の電子機器。
【請求項９】
前記ヒンジ部は、第一部分と、該第一部分より太い第二部分とを有し、
前記配線は、前記第一部分に固定された、請求項１〜８のうちいずれか一つに記載の電子機器。
【請求項１０】
前記ヒンジ部が、前記筐体に固定された、請求項１〜９のうちいずれか一つに記載の電子機器。
【請求項１１】
前記第一筐体および第二筐体のうち少なくとも一方に、前記ヒンジ部を露出させる開口部が設けられ、該開口部および前記ヒンジ部を覆うカバーが設けられた、請求項１〜１０のうちいずれか一つに記載の電子機器。
【発明の詳細な説明】
【技術分野】
【０００１】
本発明の実施形態は、電子機器に関する。
【背景技術】
【０００２】
従来、表示装置が収容された筐体と他の部分とがヒンジを介して回動可能に接続され、ヒンジが設けられた部分で筐体内と他の部分とを繋ぐ配線が通された電子機器が、知られている。
【先行技術文献】
【特許文献】
【０００３】
【特許文献１】特開２００５−１８２４６４号公報
【発明の概要】
【発明が解決しようとする課題】
【０００４】
テレビジョン受像機等の電子機器では、ヒンジの近傍で配線の移動等が抑制されるのが望まれている。
【０００５】
そこで、本発明の実施形態は、一例として、ヒンジの近傍で配線の移動等を抑制することが可能な電子機器を得ることを、目的の一つとする。
【課題を解決するための手段】
【０００６】
実施形態にかかる電子機器は、一例として、第一の筐体と、第二の筐体と、ヒンジ部と、配線と、保持部と、を備える。第一の筐体は、第一電気部品を収容する。第二の筐体は、第二電気部品を収容する。ヒンジ部は、第一の筐体と第二の筐体とにそれぞれ固定され、回転軸部を有し、該回転軸部を中心に第一の筐体と第二の筐体とを回動可能に接続する。配線は、第一電気部品と第二電気部品とを電気的に接続するとともに、第一の筐体内で回転軸部に沿う。保持部は、回転軸部と配線とを束ねるテープである。
【図面の簡単な説明】
【０００７】
【図１】図１は、第１実施形態にかかるテレビジョン受像機の一例を正面側から見た斜視図である。
【図２】図２は、第１実施形態にかかるテレビジョン受像機の一例を側面側から見た斜視図である。
【図３】図３は、第１実施形態にかかるテレビジョン受像機の一例の一部の内部構造を背面側から見た斜視図である。
【図４】図４は、第２実施形態にかかる電子機器の一例の展開状態での斜視図である。
【図５】図５は、第２実施形態にかかる電子機器の一例の折り畳み状態での平面図である。
【図６】図６は、第２実施形態にかかる電子機器の一例の折り畳み状態での側面図である。
【図７】図７は、第２実施形態にかかる電子機器の一例の一部の分解斜視図である。
【図８】図８は、第２実施形態にかかる電子機器の一例の別の一部の分解斜視図である。
【図９】図９は、図８に示された部分の内部構造の一部を図７とは反対側から見た斜視図である。
【図１０】図１０は、図７に示された部分の内部構造の一部を図８とは反対側から見た斜視図である。
【図１１】図１１は、第２実施形態にかかる電子機器のヒンジカバーの一例の斜視図である。
【図１２】図１２は、図１１のヒンジカバーの一例を別の角度から見た斜視図である。
【図１３】図１３は、第２実施形態にかかる電子機器の一例が組み立てられる際にテープが筐体に貼り付けられた状態（テープでハーネスが固定される前の状態）の一例が示された斜視図である。
【図１４】図１４は、第２実施形態にかかる電子機器のテープの一例の側面図である。
【図１５】図１５は、図４のXV−XV断面図である。
【図１６】図１６は、図５のXVI−XVI断面図である。
【図１７】図１７は、第２実施形態にかかる電子機器の第一筐体を構成する部材の一例の一部を筐体内側から見た斜視図である。
【図１８】図１８は、第２実施形態にかかる電子機器の第一筐体を構成する別の部材の一例であって図１７に示された部材と組み合わせられる部材の一部を筐体内側から見た斜視図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
また、以下の実施形態では、電子機器がテレビジョン受像機や所謂ノートブック型のパーソナルコンピュータとして構成された場合が例示されるが、本実施形態にかかる電子機器は、これには限定されない。本実施形態にかかる電子機器は、例えば、ヒンジ部によって回動可能に接続された二つの部分を有した電子機器、例えば、スマートテレビ、携帯電話機、映像表示装置、テレビ電話機等として構成することができる。
【００１０】
＜第１実施形態＞
本実施形態では、一例として、図１，２に示されるように、テレビジョン受像機１は、支持部２と筐体３とを備える。具体的に、筐体３（第一筐体、第一部分、第一部品）は、表示装置４の少なくとも一部を収容する。支持部２（スタンド部、台、支部、第二筐体、第二部分、他の部分、他の部品）は、筐体３を支持する。支持部２は、外部載置面に載置された場合にこの外部載置面と向かい合う領域２０ａ（底壁、壁、領域、部分、ゴム脚、脚）を有する。
【００１１】
また、本実施形態では、一例として、支持部２は、筐体３を、ヒンジ部９（接続部、連結部、回動支持部、ヒンジ機構、接続機構、連結機構、回動支持機構、図３参照）を介して回動可能に支持する。すなわち、ヒンジ部９は、支持部２と筐体３とを回動可能に接続（連結）している。本実施形態では、一例として、ヒンジ部９は、表示画面４ａの上下方向の角度を変化させる。すなわち、ヒンジ部９はチルトの調整を可能としている。なお、支持部２は筐体３を他の方向への回動（例えば、ピボット、スイベル等）を可能に支持することができる。
【００１２】
テレビジョン受像機１の筐体３は、本実施形態では、一例として、図１に示されるように、正面視および背面視では矩形状（本実施形態では、一例として長方形状）に構成されている。また、筐体３は、本実施形態では、一例として、図２に示されるように、前後方向に薄い扁平な直方体状に構成されている。筐体３は、面３ａ（前面、正面、第一面、第一面部）とこの反対側の面３ｂ（後面、背面、第二面、第二面部）と、を有する。面３ａと面３ｂとは略並行している。また、筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、筐体３は、面３ａを有する壁部３ｋ（第一部分、プレート、フレーム、前壁部、表壁部、天壁部）と、面３ｂを有する壁部３ｍ（第二部分、プレート、後壁部、裏壁部、底壁部、図２参照）と、を有する。壁部３ｋ，３ｍは、矩形状（本実施形態では、一例として長方形状）である。また、筐体３は、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては矩形状の開口部３ｒが設けられている。よって、壁部３ｋは、矩形状かつ枠状である。
【００１４】
さらに、筐体３は、複数の部品（分割体）が組み合わせられて構成されることができる。筐体３は、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、筐体３は、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００１５】
筐体３は、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の筐体３内側には、リブ等の壁部（突出部、突出壁部、図示されず）が設けられることができる。壁部により、筐体３の剛性が高くなりやすい。
【００１６】
また、本実施形態では、一例として、図２に示されるように、筐体３の面３ｂや面３ｐ等には、コネクタ１１や操作部１２等が設けられることができる。コネクタ１１は、例えば、電源ケーブル用のコネクタや、ＵＳＢ（universal serial bus）コネクタ、カードコネクタ、イヤホンやマイクのコネクタ等であることができる。操作部１２は、例えば、押しボタンや、押しスイッチ、スライドスイッチ、ポインティングデバイス、ダイヤル等であることができる。また、図１に示されるように、面３ａには、カメラモジュール１０（カメラ、撮像装置）を設けることができる。コネクタ１１や、操作部１２、カメラモジュール１０等は、筐体３の壁部３ｋ，３ｍ，３ｎに設けられた開口部３ｓから露出している。
【００１７】
また、本実施形態では、一例として、図１に示されるように、表示装置４（表示部、ディスプレイ、パネル）の、面３ａ側に位置した表示画面４ａは、開口部３ｒを介して筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１８】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００１９】
そして、本実施形態では、一例として、図１に示されるように、筐体３内には、表示装置４の後側（裏側、背後側、壁部３ｍ側、表示画面４ａとは反対側）に、一つ以上の基板６（回路基板、制御基板、メイン基板、電気部品、第一電気部品）が収容されている。基板６は、表示装置４と並行して設けられている。基板６は、壁部３ｋ，３ｍ，３ｎ等と離間した状態で、すなわち、壁部３ｋ，３ｍ，３ｎ等との間に空間（隙間）が形成された状態で、設けられている。
【００２０】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２１】
また、本実施形態では、一例として、支持部２は筐体３の表示画面４ａの反対側の後部（背後部、壁部３ｍ）を、ヒンジ部９を介して回動可能に支持している。具体的には、一例として、図３に示されるように、ヒンジ部９は、比較的（第二部分９ｂより）細い第一部分９ａと、比較的（第一部分９ａより）太い第二部分９ｂと、を有する。また、ヒンジ部９は、シャフト９ｃ（回転軸部、回動軸部）や、支持部９ｄ、抵抗要素９ｅ、結合部９ｆ等を有する。シャフト９ｃは、支持部２と筐体３との間に亘る。支持部９ｄは、支持部２および筐体３のうち一方（本実施形態では、一例として支持部２）に設けられ、シャフト９ｃをその長手方向に沿った軸（中心軸、回動軸Ａｘ）回りに回動可能に支持する。抵抗要素９ｅは、シャフト９ｃと支持部９ｄとの間に介在し、シャフト９ｃおよび支持部９ｄに摩擦力を与える。結合部９ｆは、シャフト９ｃに設けられ、シャフト９ｃを支持部２および筐体３のうち他方（本実施形態では、一例として筐体３）に結合する。なお、支持部２は、図示されない結合部を介して一方（本実施形態では、一例として支持部２）に結合される。このようなヒンジ部９により、支持部２と筐体３とは、図３の回動軸Ａｘ回りに回動可能に接続される。ヒンジ部９は、壁部３ｍや支持部２に設けられたカバー２０ｂ，３ｔによって覆われている。図３では、これらカバー２０ｂ，３ｔが取り外された状態が示されている。
【００２２】
また、本実施形態では、一例として、図３に示されるように、支持部２の内部と筐体３の内部との間に亘って、ハーネス１３（配線）が配置されている。具体的に、ハーネス１３は、例えば、筐体３内の基板６（電気部品、回路）や、該基板６に実装された電気部品（電子部品、図示されず）、筐体３内に収容され基板６に実装されない電気部品（図示されず）等と、支持部２に設けられた電気部品（例えば、スピーカ１６（図２参照）等）とを、電気的に接続する。ハーネス１３は、ヒンジ部９が通る支持部２および筐体３に設けられた開口部（図示されず）を通っている。すなわち、ハーネス１３は、ヒンジ部９のシャフト９ｃの外周面に沿って配置されている。なお、支持部２の電気部品としては、スピーカ１６や、外部接続用のコネクタ（図示されず）や、マイク、カメラ、ランプ、発光素子、操作部（例えばスイッチ等）がある。
【００２３】
そして、本実施形態では、一例として、図３に示されるように、ハーネス１３は、テープ１４（保持部、支持部、保持部品、結合部品、ホルダ）によって、ヒンジ部９に固定されている。本実施形態では、一例として、テープ１４は、シャフト９ｃとこのシャフト９ｃの周囲に配置された一本以上のハーネス１３とを、それらの外周から束ねている。よって、本実施形態によれば、一例としては、ヒンジ部９の近傍でハーネス１３の移動が抑制される。よって、一例としては、ハーネス１３が支持部２と筐体３との境界部分（開口部）から外部に露出したり飛び出したりするのが抑制されやすい。
【００２４】
また、本実施形態では、一例として、テープ１４は、ハーネス１３の、ヒンジ部９（シャフト９ｃ）の長手方向に沿った部分１３ａを固定している。よって、本実施形態によれば、一例としては、ハーネス１３がテープ１４によってシャフト９ｃにより固定されやすい。
【００２５】
また、本実施形態では、一例として、テープ１４は、シャフト９ｃの外周に沿って配置された複数のハーネス１３をシャフト９ｃに固定している。よって、本実施形態によれば、一例としては、複数のハーネス１３がシャフト９ｃの周囲によりコンパクトに配置されやすい。
【００２６】
また、本実施形態では、一例として、テープ１４は、シャフト９ｃから離れた位置（第二位置Ｐ２）でハーネス１３を固定している。よって、本実施形態によれば、一例としては、テープ１４を、シャフト９ｃから離れて位置されたハーネス１３の固定（保持）に利用することができる。
【００２７】
また、本実施形態では、一例として、テープ１４は、シャフト９ｃの近傍の第一位置Ｐ１と、シャフト９ｃから離れた第二位置Ｐ２とでハーネス１３を固定している。よって、本実施形態によれば、一例としては、それぞれ別の固定手段（保持手段）で固定した場合に比べて、部品点数が減りやすい。また、一例としては、ハーネス１３を組み立てる際の手間が減りやすい。
【００２８】
また、本実施形態では、一例として、ハーネス１３は、第一位置Ｐ１と第二位置Ｐ２との間で屈曲されている。よって、一例としては、支持部２の第二電気部品側から筐体３の第一電気部品側に向けて、第一位置Ｐ１で延びる方向（シャフト９ｃに沿った方向、図３の例では左方向）と第二位置Ｐ２で延びる方向（図３の例では右方向）とが異なる（本実施形態では、一例として逆である）ハーネス１３を、一つのテープ１４で固定する（保持する）ことができる。
【００２９】
また、本実施形態では、一例として、テープ１４は、第二部分９ｂより細い第一部分９ａ（シャフト９ｃ）に固定された。よって、本実施形態によれば、一例としては、ヒンジ部９にハーネス１３が固定された領域が大きくなる（かさばる）のが抑制されやすい。よって、一例としては、筐体３や支持部２内での部品のレイアウトの自由度がより高まりやすい。
【００３０】
＜第２実施形態＞
本実施形態では、一例として、電子機器１Ａは、第一筐体３Ａと第二筐体２Ａとを備える。具体的に、第一筐体３Ａ（第一部分）は、表示装置４の少なくとも一部を収容する。第二筐体２Ａは、基板６Ａを収容する。第二筐体２Ａには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、第三入力操作部、入力受付部、入力部）等が設けられる。
【００３１】
第一筐体３Ａと第二筐体２Ａとは、ヒンジ部９（接続部、連結部、回動支持部、ヒンジ機構、接続機構、連結機構、回動支持機構、図７〜１０参照）によって回動可能に接続されている。第一筐体３Ａおよび第二筐体２Ａは、ヒンジ部９により、少なくとも図４に示される展開状態と、図５に示される折り畳み状態との間で回動可能に接続されている。本実施形態では、一例として、ヒンジ部９は、第一筐体３Ａと第二筐体２Ａとを、回動軸Ａｘ回りに回動可能に、接続している。表示装置４の表示画面４ａは、第一筐体３Ａの面３ａ（前面、正面、第一面、第一面部）に設けられた開口部３ｒから露出している。また、キーボード７や、ポインティングデバイス８ａ、クリックボタン８ｂ等は、第二筐体２Ａの面２ａ（上面、正面、第一面、第一面部）に露出している。折り畳み状態では、第一筐体３Ａの面３ａと第二筐体２Ａの面２ａとが重なり、表示画面４ａや、キーボード７、ポインティングデバイス８ａ、クリックボタン８ｂ等が、第一筐体３Ａおよび第二筐体２Ａに隠される。展開状態では、第一筐体３Ａの面３ａおよび第二筐体２Ａの面２ａが露出され、表示画面４ａや、キーボード７、ポインティングデバイス８ａ、クリックボタン８ｂ等が使用可能（視認可能あるいは操作可能）になる。
【００３２】
第一筐体３Ａは、本実施形態では、一例として、図４，５に示されるように、正面視および背面視では矩形状（本実施形態では、一例として長方形状）に構成されている。また、第一筐体３Ａは、本実施形態では、一例として、図６に示されるように、前後方向に薄い扁平な直方体状に構成されている。第一筐体３Ａは、面３ａ（前面、正面、第一面、第一面部）とこの反対側の面３ｂ（後面、背面、第二面、第二面部）と、を有する。面３ａと面３ｂとは略並行している。また、第一筐体３Ａは、図４に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００３３】
また、第一筐体３Ａは、面３ａを有する壁部３ｋ（第一部分、プレート、フレーム、前壁部、表壁部、天壁部）と、面３ｂを有する壁部３ｍ（第二部分、プレート、後壁部、裏壁部、底壁部）と、を有する。壁部３ｋ，３ｍは、矩形状（本実施形態では、一例として長方形状）である。また、第一筐体３Ａは、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては矩形状の開口部３ｒが設けられている。よって、壁部３ｋは、矩形状かつ枠状である。
【００３４】
さらに、第一筐体３Ａは、複数の部品（分割体）が組み合わせられて構成されることができる。第一筐体３Ａは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３Ａは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００３５】
第一筐体３Ａは、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の第一筐体３Ａ内側には、リブ等の壁部（突出部、突出壁部、図示されず）が設けられることができる。壁部により、第一筐体３Ａの剛性が高くなりやすい。
【００３６】
また、本実施形態では、一例として、図４に示されるように、第一筐体３Ａの面３ａには、カメラモジュール１０（カメラ、撮像装置）を設けることができる。カメラモジュール１０等は、第一筐体３Ａの壁部３ｋに設けられた開口部３ｓを介して露出している。なお、第一筐体３Ａの面３ｐに、コネクタや操作部を設けることができる。
【００３７】
また、本実施形態では、一例として、図４に示されるように、表示装置４（表示部、ディスプレイ、パネル）の、面３ａ側に位置した表示画面４ａは、開口部３ｒを介して第一筐体３Ａの前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００３８】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから第一筐体３Ａの前方（外方）へ出る。入力操作パネル５は、入力部の一例である。
【００３９】
第二筐体２Ａは、本実施形態では、一例として、図４，５に示されるように、正面視および背面視では矩形状（本実施形態では、一例として長方形状）に構成されている。また、第二筐体２Ａは、本実施形態では、一例として、図６に示されるように、前後方向に薄い扁平な直方体状に構成されている。第二筐体２Ａは、面２ａ（上面、正面、第一面、第一面部）とこの反対側の面２ｂ（下面、背面、第二面、第二面部）と、を有する。面２ａと面２ｂとは略並行している。また、第二筐体２Ａは、図４に示されるように、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００４０】
また、第二筐体２Ａは、面２ａを有する壁部２ｋ（第一部分、プレート、フレーム、前壁部、表壁部、天壁部）と、面２ｂを有する壁部２ｍ（第二部分、プレート、後壁部、裏壁部、底壁部、図６参照）と、を有する。壁部２ｋ，２ｍは、矩形状（本実施形態では、一例として長方形状）である。また、第二筐体２Ａは、壁部２ｋと壁部２ｍとの間に亘った面２ｐ（側面、周面、第三面）を有する四つの壁部２ｎ（第三部分、プレート、側壁部、端壁部、立壁部、亘部）を有する。なお、壁部２ｋには、一例としては矩形状の開口部２ｒが設けられている。よって、壁部２ｋは、矩形状かつ枠状である。
【００４１】
さらに、第二筐体２Ａは、複数の部品（分割体）が組み合わせられて構成されることができる。第二筐体２Ａは、本実施形態では、一例として、少なくとも壁部２ｋを含む第一筐体部材２１（第一部分、前側部材、マスク、マスク部、カバー、フロントカバー、カバー部、第一領域、図４参照）と、少なくとも壁部２ｍを含む第二筐体部材２２（第二部分、後側部材、ベース、ベース部、ボトム、ボトム部、カバー、リヤカバー、カバー部、第二領域、図６参照）とを有する。壁部２ｎは、第一筐体部材２１および第二筐体部材２２のうち少なくともいずれか一方（例えば、第二筐体部材２２）に含まれる。また、第二筐体２Ａは、第一筐体部材２１および第二筐体部材２２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００４２】
第二筐体２Ａは、金属材料や、合成樹脂材料等で構成されることができる。第一筐体部材２１および第二筐体部材２２は、比較的剛性の低い材料（第三筐体部材や第四筐体部材より剛性の低い材料、例えば合成樹脂材料等）で構成されることができる。なお、第一筐体部材２１や第二筐体部材２２の第二筐体２Ａ内側には、リブ等の壁部（突出部、突出壁部、図示されず）が設けられることができる。壁部により、第二筐体２Ａの剛性が高くなりやすい。
【００４３】
また、本実施形態では、一例として、図６に示されるように、第二筐体２Ａの面２ｐ等には、コネクタ１１等が設けられることができる。コネクタ１１は、例えば、電源ケーブル用のコネクタや、ＵＳＢ（universal serial bus）コネクタ、カードコネクタ、イヤホンやマイクのコネクタ等であることができる。コネクタ１１は、第二筐体２Ａの壁部２ｎに設けられた開口部２ｓを介して露出している。なお、第二筐体２Ａの面２ａに、コネクタや操作部を設けることができる。
【００４４】
また、本実施形態では、一例として、図４に示されるように、キーボード７の操作面７ａ（面、上面）は、開口部２ｒを介して第二筐体２Ａの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００４５】
そして、本実施形態では、一例として、図４に示されるように、第二筐体２Ａ内には、キーボード７の後側（裏側、背後側、壁部２ｍ側、操作面７ａとは反対側）に、一つ以上の基板６Ａ（回路基板、制御基板、メイン基板、電気部品、第一電気部品）が収容されている。基板６Ａは、キーボード７と並行して設けられている。基板６Ａは、壁部２ｋ，２ｍ，２ｎ等と離間した状態で、すなわち、壁部２ｋ，２ｍ，２ｎ等との間に空間（隙間）が形成された状態で、設けられている。
【００４６】
また、本実施形態では、一例として、基板６Ａには、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００４７】
また、本実施形態では、一例として、図４，６に示されるように、第二筐体２Ａの端部２ｅの長手方向両端部に、面２ａから厚さ方向に突出した突出部２ｕが設けられている。そして、本実施形態では、一例として、図７，８に示されるように、この突出部２ｕに、ヒンジ部９の一部（第二筐体２Ａ側の部分）が収容されている。また、本実施形態では、一例として、図６に示されるように、他のコネクタ１１より高さ（厚さ）の大きいコネクタ１１が、この突出部２ｕに対応して設けられている。また、本実施形態では、一例として、図８に示されるように、突出部２ｕ内では、コネクタ１１に隣接してヒンジ部９が設けられている。また、図６〜８に示されるように、コネクタ１１に隣接してヒンジキャップ２３が設けられている。よって、一例としては、高さ（厚さ）の大きいコネクタ１１が設けられた部分の電子機器１Ａの高さ（厚さ）が、コネクタ１１とヒンジ部９との間、あるいはコネクタ１１とヒンジキャップ２３との間に第二筐体２Ａの壁部が設けられた場合に比べて、より低くなりやすい。また、ヒンジ部９が収容された突出部２ｕを、第一筐体部材２１および第二筐体部材２２とは別の部品であるヒンジキャップ２３（カバー、キャップ、覆部、覆部材、第五筐体部材）で覆ったため、一例としては、第一筐体部材２１または第二筐体部材２２を組み立てる（組み付ける、取り扱う）工程と、ヒンジ部９回りの部品（ヒンジ部９や、コネクタ１１、ハーネス１３等）を組み立てる（組み付ける、取り扱う）工程とを分けやすくなる。よって、一例としては、製造の手間が減りやすい。また、一例としては、ヒンジキャップ２３の表面（外面）を例えばメタリック塗料で塗装する等、ヒンジキャップ２３に他の部位（一般部位、第一筐体部材２１，３１や第二筐体部材２２，３２等）とは異なった加飾を施すことで、外観にアクセントを加えることができる。また、一例としては、後述したスライドおよび結合具を用いたヒンジキャップ２３の着脱や交換、ヒンジキャップ２３の選択等により、ユーザが好む外観に変更しやすくなる。
【００４８】
本実施形態では、一例として、図７，８に示されるように、第一筐体部材２１および第二筐体部材２２のうち少なくともいずれか一方（本実施形態では、一例として第一筐体部材２１）に突出部２１ａ（壁部、リブ、支持部、内側部材）が設けられる。突出部２１ａは、ヒンジ部９と並び、ヒンジ部９より高く設けられている。よって、突出部２１ａにヒンジキャップ２３を被せることで、ヒンジキャップ２３とヒンジ部９とが干渉するのが抑制されやすい。なお、突出部２１ａのエッジ２１ｂは、切欠状に構成されている。エッジ２１ｂは、ヒンジ部９を露出させる開口部の一例である。
【００４９】
そして、本実施形態でも、一例として、図９，１０に示されるように、上記第１実施形態と同様に、第一筐体３Ａの内部と第二筐体２Ａの内部との間に亘って、ハーネス１３（配線）が配置されている。具体的に、ハーネス１３は、例えば、第一筐体３Ａに設けられた電気部品（例えば、表示装置４、カメラモジュール１０、アンテナ（図示されず）、スピーカ等、第一電気部品）と、第二筐体２Ａ内の基板６Ａ（電気部品、回路）や、該基板６Ａに実装された電気部品（電子部品）、第二筐体２Ａ内に収容され基板６Ａに実装されない電気部品等（第二電気部品）とを、電気的に接続する。ハーネス１３は、ヒンジ部９が通る第一筐体３Ａに設けられた開口部３２ｃ（図１３，１６参照）および第二筐体２Ａに設けられた開口部２３ａ（図８，１６参照）等を通っている。すなわち、ハーネス１３は、ヒンジ部９のシャフト９ｃの外周面に沿って配置されている。本実施形態では、ハーネス１３としては、例えば、表示装置４用のハーネス、カメラモジュール１０用のハーネス、アンテナ用のハーネス、スピーカ用のハーネス等がある。しかし、これらはあくまで一例であって、ハーネス１３はこれらには限定されない。
【００５０】
そして、本実施形態でも、一例として、図９，１０に示されるように、ハーネス１３は、テープ１４（保持部、支持部、保持部品、結合部品、ホルダ）によって、ヒンジ部９に固定されている。本実施形態では、一例として、テープ１４は、シャフト９ｃとこのシャフト９ｃの周囲に配置された一本以上のハーネス１３とを、それらの外周から束ねている。よって、本実施形態によれば、一例としては、ヒンジ部９の近傍でハーネス１３の移動が抑制される。よって、一例としては、ハーネス１３が第一筐体２Ａと第一筐体３Ａとの境界部分（開口部３２ｃ，２３ａ等）から外部に露出したり飛び出したりするのが抑制されやすい。
【００５１】
また、本実施形態でも、一例として、テープ１４は、ハーネス１３の、ヒンジ部９（のシャフト９ｃ）の長手方向に沿った部分１３ａを固定している。よって、本実施形態によれば、一例としては、ハーネス１３がテープ１４によってシャフト９ｃにより固定されやすい。
【００５２】
また、本実施形態でも、一例として、テープ１４は、シャフト９ｃの外周に沿って配置された複数のハーネス１３をシャフト９ｃに固定している。よって、本実施形態によれば、一例としては、複数のハーネス１３がシャフト９ｃの周囲によりコンパクトに配置されやすい。
【００５３】
また、本実施形態でも、一例として、テープ１４は、シャフト９ｃから離れた位置でハーネス１３を固定している。よって、本実施形態によれば、一例としては、テープ１４を、シャフト９ｃから離れて位置されたハーネス１３の固定（保持）に利用することができる。
【００５４】
また、本実施形態では、一例として、テープ１４は、シャフト９ｃの近傍の第一位置Ｐ１と、シャフト９ｃから離れた第二位置Ｐ２とでハーネス１３を固定している。よって、本実施形態によれば、一例としては、それぞれ別の固定手段（保持手段）で固定した場合に比べて、部品点数が減りやすい。また、一例としては、ハーネス１３を組み立てる際の手間が減りやすい。
【００５５】
また、本実施形態でも、一例として、ハーネス１３は、第一位置Ｐ１と第二位置Ｐ２との間で屈曲されている。よって、一例としては、第二筐体２Ａの第二電気部品側から第一筐体３Ａの第一電気部品側に向けて、第一位置Ｐ１で延びる方向（シャフト９ｃに沿った方向、図９の例では左方向、図１０の例では右方向）と第二位置Ｐ２で延びる方向（図９の例では右方向、図１０の例では左方向）とが異なる（本実施形態では、一例として逆である）ハーネス１３を、一つのテープ１４で固定する（保持する）ことができる。
【００５６】
また、本実施形態でも、一例として、テープ１４は、第二部分９ｂより細い第一部分９ａ（シャフト９ｃ）に固定された。よって、本実施形態によれば、一例としては、ヒンジ部９にハーネス１３が固定された領域が大きくなる（かさばる）のが抑制されやすい。よって、一例としては、第一筐体３Ａや第二筐体２Ａ内での部品のレイアウトの自由度がより高まりやすい。
【００５７】
また、本実施形態では、一例として、図１１，１２に示されるように、ヒンジキャップ２３は、第二筐体２Ａの端部２ｅに沿って延びた細長い直方体状の外観を呈している。また、ヒンジキャップ２３は、壁部２３ｂ，２３ｃ，２３ｄを有している。ヒンジキャップ２３の壁部２３ｂの反対側は、開放されている。壁部２３ｂ（天壁、頂壁、上壁）は、矩形状（本実施形態では、一例として長方形状、短冊状）かつ板状に構成されている。壁部２３ｂは、面２ａから離れた位置で、面２ａと並行して（本実施形態では、一例として平行に）設けられている。壁部２３ｃ（側壁）は、壁部２３ｂの短手方向の両端部にそれぞれ設けられ、壁部２３ｂと交叉する方向（本実施形態では、一例として直交する方向）に突出している。壁部２３ｃも、矩形状（本実施形態では、一例として長方形状、短冊状）かつ板状に構成されている。壁部２３ｄは、壁部２３ｂの長手方向の両端部にそれぞれ設けられ、壁部２３ｂと交叉する方向（本実施形態では、一例として直交する方向）に突出している。壁部２３ｄ（側壁、端壁）も、矩形状（本実施形態では、一例として長方形状）かつ板状に構成されている。壁部２３ｄのうち一方（本実施形態では、一例として第二筐体２Ａの端部２ｅの中央部側、第一筐体３Ａの端部３ｅと隣接する側）には、開口部２３ａが設けられる。
【００５８】
ヒンジキャップ２３は、結合部として、雌ねじ部２３ｅおよび係部２３ｆ〜２３ｈを有する。雌ねじ部２３ｅは、壁部２３ｂの内側（裏側、下側）に突出した突出部２３ｉ（ボス部）に設けられている。この雌ねじ部２３ｅは、第二筐体２Ａに設けられた開口部２ｖ（例えば、貫通孔または切欠等、本実施形態では、一例として貫通孔）と重なっている。開口部２ｖは、第二筐体２Ａを貫通している。そして、第二筐体２Ａの下側（裏側、第二筐体部材２２側）から開口部２ｖを通されたねじ等の結合具（図示されず）が雌ねじ部２３ｅに結合されることにより、第二筐体２Ａ（一例として、第一筐体部材２１および第二筐体部材２２のうち少なくとも一方、本実施形態では、一例として両方）とヒンジキャップ２３とが結合される。また、係部２３ｆ〜２３ｈは、第二筐体２Ａ（一例として、第一筐体部材２１および第二筐体部材２２のうち少なくとも一方、本実施形態では、一例として第一筐体部材２１）に設けられた係部２ｗ〜２ｙと係わる。係部２３ｆは、開口部２３ａが設けられた壁部２３ｄから開放側、すなわち、ヒンジキャップ２３が第二筐体２Ａに組み付けられた際に壁部２ｍ側となる方向に突出している。係部２３ｆの先端（突端）はＬ字状に屈曲され、爪部２３ｊが設けられている。爪部２３ｊは、第二筐体２Ａの端部２ｅに沿った一方側（本実施形態では、一例として、端部２ｅの中央部側）に向けて突出している。係部２３ｆ〜２３ｈと係部２ｗ〜２ｙとは、ヒンジキャップ２３が第二筐体２Ａの厚さ方向に動かされて第二筐体２Ａに近接し、その後第二筐体２Ａの端部２ｅに沿って当該端部２ｅの中央部側に動かしてスライドされる（すなわち、図７，８に示されるように、Ｌ字状に動かされる）ことで、係わる。本実施形態では、ヒンジキャップ２３を、第二筐体２Ａとの近接方向と交叉する方向（面２ａに沿った方向）にスライドさせて第二筐体２Ａと係わらせることで、一例としては、ヒンジキャップ２３を近接方向に係わらせて弾性変形を伴って取り付けた構成（すなわち、スナップフィット機構を用いた構成）に比べて、係部２３ｆ〜２３ｈと係部２ｗ〜２ｙとの係わる部分の面積（長さ）をより大きくすることができる。よって、一例としては、ヒンジキャップ２３と第二筐体２Ａとの結合剛性、結合強度（支持剛性、支持強度）がより高くなりやすい。そして、本実施形態では、一例として、ヒンジキャップ２３によって、ヒンジ部９の周囲が開放（露出）されるので、作業者は、ハーネス１３をテープ１４で留める作業をより容易に行うことができる。
【００５９】
また、本実施形態では、一例として、図１３に示されるように、テープ１４は、予め第一筐体３Ａの第二筐体部材３２に固定されている。具体的には、テープ１４は、ヒンジ部９のシャフト９ｃと交叉する方向に延びた姿勢で、シャフト９ｃと第二筐体部材３２との間となる位置で、第二筐体部材３２に固定されている。図１４にも示されるように、テープ１４の第一面１４ａの長手方向中間部（中央部）の第一領域Ａ１に接着剤１７が付けられ、この第一領域Ａ１が第二筐体部材３２に接着される。また、テープ１４の第二面１４ｂの長手方向端部の第二領域Ａ２にも接着剤１７が付けられ、この第二領域Ａ２はテープ１４の他の部位に接着される。すなわち、本実施形態では、一例として、図１５に示されるように、作業者は、テープ１４の長手方向端部を折り返してテープ１４の他の部位に留める（接着する）ことで、テープ１４がシャフト９ｃおよびハーネス１３を巻いた状態を、比較的容易に得ることができる。また、本実施形態では、一例として、図９，１０，１５に示されるように、ハーネス１３は、第一位置Ｐ１と第二位置Ｐ２とでテープ１４に固定されることができる。また、この際、本実施形態では、一例として、第一位置Ｐ１と第二位置Ｐ２との間で接着剤１７によってテープ１４の一部分と他の部分とが留められる（接着される）ことができる。これにより、一例としては、第一位置Ｐ１と第二位置Ｐ２とが離間された状態で固定されやすい。なお、第一領域Ａ１と第二領域Ａ２とは、上述した例には限定されず、種々に変更することが可能である。
【００６０】
そして、本実施形態では、一例として、図１５に示されるように、テープ１４により、シャフト９ｃの周囲に複数のハーネス１３が固定される。この際、シャフト９ｃに対して第一筐体部材３１の係部３１ａと第二筐体部材３２の係部３２ａとが係わる部分が位置する方向には、ハーネス１３が配置されていない。これにより、一例としては、第一筐体３Ａがより大きくなるのが抑制されやすい。また、一例としては、ハーネス１３をテープ１４で固定する作業をより容易に行うことができる。
【００６１】
以上のような構成により、本実施形態では、一例として、図１６に示されるように、ハーネス１３がヒンジ部９に沿って配置され、ハーネス１３が移動しにくい構成が得られる。よって、本実施形態によれば、一例としては、ハーネス１３が移動することによる不都合が抑制されやすい。また、本実施形態では、一例として、図１６に示されるように、ヒンジ部９の結合部９ｆが、第一筐体３Ａの第二筐体部材３２に、ねじ等の結合具１５によって、結合されている。よって、結合部９ｆが、他の部品（例えば、表示装置４の周縁部に沿った部材等）に固定される構成に比べて、第一筐体３Ａの構成がより簡素になりやすい。
【００６２】
また、本実施形態では、一例として、図１７，１８に示されるように、第一筐体３Ａの第一筐体部材３１および第二筐体部材３２が、スライドされて結合されている。具体的には、一例として、図１７に示されるように、第一筐体部材３１の端部３ｃには、壁部３ｋと隙間をあけて端部３ｃの縁に向けて突出した係部３１ｂが設けられている。また、図１８に示されるように、第二筐体部材３２の端部３ｃには、壁部３ｍと隙間をあけて係部３１ｂの突出方向とは反対側に突出した係部３２ｂが設けられている。作業者は、第一筐体部材３１と第二筐体部材３２とを組み付ける際には、図１７および図１８に示される矢印Ｓの方向にスライドさせることで、係部３１ｂと係部３２ｂとが係わった状態が得られる。よって、本実施形態では、一例としては、第一筐体部材３１と第二筐体部材３２とを近接方向に係わらせて弾性変形を伴って取り付けた構成（すなわち、スナップフィット機構を用いた構成）に比べて、係部３１ｂと係部３２ｂとの係わる部分の面積（長さ）をより大きくすることができる。よって、一例としては、第一筐体部材３１と第二筐体部材３２との結合剛性、結合強度（支持剛性、支持強度）がより高くなりやすい。
【００６３】
以上、本発明の実施形態について説明したが、上記実施形態は一例に過ぎない。本発明は上記実施形態には限定されず、種々の変形が可能である。例えば、テープに替えて異なる保持部（例えば、保持具、固定具、結合具、接続具、留具、ブラケット、合成樹脂の成形品等）を用いても同様の結果を得ることができる。また、一例としては、ハーネスをテープ等の保持部によってヒンジ部に固定せず、ヒンジ部の周囲に留めておく（保持する、維持する、引っ掛けておく）構成とすることもできる。また、上記各実施形態や変形例の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。
なお、以下に、本願原出願の特許査定時の特許請求の範囲に記載された発明を付記する。
［１］
第一電気部品を収容した第一の筐体と、
第二電気部品を収容した第二の筐体と、
前記第一の筐体と前記第二の筐体とにそれぞれ固定され、回転軸部を有し、該回転軸部を中心に前記第一の筐体と前記第二の筐体とを回動可能に接続したヒンジ部と、
前記第一電気部品と前記第二電気部品とを電気的に接続するとともに、前記第一の筐体内の前記第二の筐体近傍の位置で前記ヒンジ部の前記回転軸部に保持部によって保持された配線と、
を備えた電子機器。
［２］
前記保持部は、テープである、［１］に記載の電子機器。
［３］
前記保持部が、前記配線の、前記ヒンジ部の長手方向に沿った部分を固定した、［１］または［２］に記載の電子機器。
［４］
前記保持部が、前記ヒンジ部の外周に沿って配置された複数の前記配線を固定した、［１］〜［３］のうちいずれか一つに記載の電子機器。
［５］
前記保持部が、前記ヒンジ部から離れた位置で前記配線を固定した、［１］〜［４］のうちいずれか一つに記載の電子機器。
［６］
前記保持部が、第一位置と該第一位置より前記ヒンジ部から離れた第二位置とで前記配線を固定した、［１］〜［５］のうちいずれか一つに記載の電子機器。
［７］
前記第一位置および前記第二位置で前記保持部に固定された前記配線が、前記第一位置と前記第二位置との間で屈曲された、［６］に記載の電子機器。
［８］
前記保持部が、前記筐体に固定された、［１］〜［７］のうちいずれか一つに記載の電子機器。
［９］
前記保持部はテープであり、
前記テープの、前記筐体に面した第一面の長手方向の中間部に位置した第一領域と、前記第一面の反対側の第二面の第二領域とに、接着剤が付けられた、［８］に記載の電子機器。
［１０］
前記ヒンジ部は、第一部分と、該第一部分より太い第二部分とを有し、
前記配線は、前記第一部分に固定された、［１］〜［９］のうちいずれか一つに記載の電子機器。
［１１］
前記ヒンジ部が、前記筐体に固定された、［１］〜［１０］のうちいずれか一つに記載の電子機器。
［１２］
前記第一筐体および第二筐体のうち少なくとも一方に、前記ヒンジ部を露出させる開口部が設けられ、該開口部および前記ヒンジ部を覆うカバーが設けられた、［１］〜［１１］のうちいずれか一つに記載の電子機器。
［１３］
表示画面を有した表示装置と、
前記表示装置の少なくとも一部が収容された筐体と、
外部載置面に載置された場合に該外部載置面と向かい合う領域を有し、前記筐体を支持した支持部と、
前記筐体と前記支持部とにそれぞれ固定され、回転軸部を有し、該回転軸部を中心に前記筐体と前記支持部とを回動可能に接続したヒンジ部と、
前記筐体内に収容された第一電気部品と、
前記支持部内に収容された第二電気部品と、
前記第一電気部品と前記第二電気部品とを電気的に接続するとともに、前記筐体内の前記支持部近傍の位置で前記ヒンジ部の前記回転軸部に保持部によって保持された配線と、
を備えたテレビジョン受像機。
【符号の説明】
【００６４】
１…テレビジョン受像機（電子機器）、１Ａ…電子機器、２…支持部（他の部品）、２Ａ…第二筐体（他の部品）、３…筐体、３Ａ…第一筐体（筐体）、４…表示装置（第一電気部品）、４ａ…表示画面、６…基板（第一電気部品、第二電気部品）、９…ヒンジ部（接続部）、９ａ…第一部分、９ｂ…第二部分、９ｃ…シャフト（回転軸部）、１０…カメラモジュール（第一電気部品）、１４…テープ（保持部）、１４ａ…第一面、１４ｂ…第二面、１６…スピーカ（第二電気部品）、２０ａ…領域、３１…第一筐体部材（マスク部）、３２…第二筐体部材（カバー部）、Ａ１…第一領域、Ａ２…第二領域、Ｐ１…第一位置、Ｐ２…第二位置。
【図１】
0005492286.tif 000002
【図２】
0005492286.tif 000003
【図３】
0005492286.tif 000004
【図４】
0005492286.tif 000005
【図５】
0005492286.tif 000006
【図６】
0005492286.tif 000007
【図７】
0005492286.tif 000008
【図８】
0005492286.tif 000009
【図９】
0005492286.tif 000010
【図１０】
0005492286.tif 000011
【図１１】
0005492286.tif 000012
【図１２】
0005492286.tif 000013
【図１３】
0005492286.tif 000014
【図１４】
0005492286.tif 000015
【図１５】
0005492286.tif 000016
【図１６】
0005492286.tif 000017
【図１７】
0005492286.tif 000018
【図１８】
0005492286.tif 000019